(57)【要約】【課題】携帯電話機能とＴＶ放送に受信機能の両方を有する携帯機器において、視聴中のチャンネル番号を知るためには、何らかのキー操作を行って、チャンネル番号を表示部に表示する必要があり、このチャンネル表示は、小さな画面の携帯機器でのＴＶ視聴には邪魔な表示であった。【概要】テンキーを複数の色で発光可能とし、視聴中のチャンネルをテンキーを発光することで表示する。このとき、チャンネル番号の各桁を異なる色で発光させたり、あるいは異なる点滅方法で発光させたりすることで、多くのチャンネルを１０個のキーで表現し、一目でそのチャンネル番号を認識することができる。【選択図】                図３
2004312475.tif 000002
【特許請求の範囲】
【請求項１】
テレビ放送を受信するためのテレビ放送受信部と、受信するチャンネルを選択するための操作入力部を有し、
該操作入力部は、テレビチャンネルを選択するための複数のチャンネルキーを含み、該チャンネルキーは各キーを発光させるための各照明部を有し、
選択されているチャンネルに該当するチャンネルキーを発光させる携帯機器。
【請求項２】
上記チャンネルキーはテンキーで構成される事を特徴とする請求項１に記載の携帯機器。
【請求項３】
上記照明部は、複数色の発光が可能である事を特徴とする請求項１乃至２に記載の携帯機器。
【請求項４】
上記チャンネルキーは、各桁毎に異なる色で発光する事を特徴とする請求項３に記載の携帯機器。
【請求項５】
上記チャンネルキーは、各桁毎にその発光形式が異なる事を特徴とする請求項１乃至４に記載の携帯機器。
【請求項６】
発光させる各桁の数値が重複している場合、その最上位の桁の発光色もしくは発光形式で発光させる事を特徴とする請求項１乃至５に記載の携帯機器。
【発明の詳細な説明】
【０００１】
【産業上の利用分野】
本発明は、ＴＶ放送の受信機を有する携帯機器に関する。
【０００２】
【従来の技術】
携帯機器の代表的なものとして、携帯電話が存在する。携帯電話は、一般に、図５に示されているように、無線電話信号を送受信するためのアンテナ（１８）、受信した信号をデコードする受信部（５１）、また、送信するための信号にコーディングするための送信部（５２）、送信と受信を切替えるためのデュプレクサ（５３）、受信した音声信号を出力するためのスピーカ（９）、受信したメールなどの非音声信号や操作のために必要な情報を表示する表示部（８）、受信応答や発呼、送信操作、メール操作、及び各種機能の設定操作などの種々の操作のために使用されるキーパッドより構成されるキー入力部（１３）、電話帳情報や受信メールなど種々の情報を記憶しておくための記憶部（５４）、送信する音声を入力するためのマイク（１７）及び全システムの制御や各種のデータ処理を行いための制御部（３）で構成されている。
【０００３】
ここで、キー入力部（１３）は、特開２００２−１０９９８８に記載されているように、図６のような構成が知られている。キー入力部のボタンキー（６２）は、シリコンゴムなどにより形成された薄膜状のボタンキーゴム（６３）と、ボタンキーゴム（６３）上に配列された樹脂よりなる複数のキー本体（６４）より構成されている。
【０００４】
上記ボタンキーゴム（６３）は、上面に設けられたキー本体（６４）を上方へ付勢していると共に、下面には各キー本体（６４）毎に導電性の突起（６３Ａ）が突設されていて、キー本体（６４）を押圧するとこの突起（６３Ａ）が基板（６１）上に設けられた導電パターンに接触して、導電パターンを導通させるように構成されている。
【０００５】
また上記ボタンキー（６２）のうち、特定のボタンキーの下方に特定のボタンキーのみを下方より照明するＬＥＤ（６５）が設置されている。このＬＥＤ（６５）は、基板（６１）上に取付けられており、それぞれ異なる色や、光の点滅により特定のボタンキーのみを下方より照明できるようになっていると共に、ＬＥＤ（６５）より発生された光が周囲、特に隣接するボタンキー側へ拡散するのを防止する拡散防止部材（６３Ｂ）が設けられている。
【０００６】
上記拡散防止部材（６３Ｂ）は、ほぼコの字形となっていて、ボタンキーゴム（６３）の下面に一体に突設されており、下面は基板（６１）の上面に密着されていて、光が隣接するボタンキー側へ漏れないようになっている。
【０００７】
これらの、ＬＥＤ（６５）は、制御部の制御信号により、オン・オフや、発光色、点滅方法などが制御される。
【０００８】
一方、通常のテレビ受信機において、視聴中のチャンネルを画面上に表示することはよく知られている。
【０００９】
【特許文献１】
特開平２００２−１０９９８号公報
【００１０】
【発明が解決しようとする課題】
従来の携帯型テレビにおいても、上記の如くキー入力部を有し、そのキー入力部を用いてチャンネル選択できるようになっている。しかし、そのキー入力部は発光しないため、例えばテレビを視聴中に、現在視聴中のチャンネルを確認するためには、上記キー入力部を操作してチャネル番号を表示部に表示させるしかなく、何らかのキー操作を必要とした。
【００１１】
さらに、チャンネル番号を表示部に表示する場合、画面の小さな携帯型テレビにおいては、そのチャンネル番号に表示がテレビ番組の視聴に対して煩わしい。
【００１２】
そこで、本発明では、キー操作を必要とせず、さらに表示部上にチャンネル番号を表示せずに、現在選局されているチャンネルを一目でわかるようにするテレビ視聴可能な携帯機器を提案することを目的とする。
【００１３】
【課題を解決するための手段】
本願発明は、上記問題に鑑みなされたものであり、テレビ放送を受信するためのテレビ放送受信部と、受信するチャンネルを選択するための操作入力部を有し、該操作入力部は、テレビチャンネルを選択するための複数のチャンネルキーを含み、該チャンネルキーは各キーを発光させるための各照明部を有し、選択されているチャンネルに該当するチャンネルキーを発光させる携帯機器である。
【００１４】
また、上記チャンネルキーはテンキーで構成されており、上記照明部は、複数色の発光が可能にすることもできる。
【００１５】
さらに。上記チャンネルキーは、各桁毎に異なる色で発光させたり、各桁毎にその発光形式が異ならしめたりすることもできる。
【００１６】
ここで、発光させる各桁の数値が重複している場合、その最上位の桁の発光色もしくは発光形式で発光させるようにすることもできる。
【００１７】
【発明の実施の形態】
以下、本発明の実施例を、図面に沿って具体的に説明する。
【００１８】
本発明の実施例のテレビ放送受信機の機能ブロック図を図１に示す。同図に示すように、アンテナ（１）によって受信されたテレビジョン放送波はチュ−ナ（２）によってチューニングされ、これによって得られた放送信号は制御部（３）に供給されて、映像データと音声データが分離される。制御部（３）には、音声デコーダ（４）、音声処理回路（５）、映像デコーダ（６）及び映像処理回路（７）が接続されており、制御部（３）にて分離された映像データは、映像デコーダ（６）に供給されてデコードされた後、映像処理回路（７）に供給されて所定の信号処理が施され、これによって得られた映像信号が表示部（８）に供給される。この結果、テレビ放送番組の映像が表示部（８）に映し出されることになる。これに対し、制御部（３）にて分離された音声データは、音声デコーダ（４）に供給されてデコードされた後、音声処理回路（５）に供給されて所定の信号処理が施され、これによって得られた音声信号がスピーカ（９）に供給される。この結果、テレビ放送番組の音声がスピーカ（９）から出力されることになる。
【００１９】
また、上述の如く制御部（３）から得られる映像データおよび音声データを格納するための録画用メモリ（１０）が接続されると共に、放送受信機としての動作を実行するプログラムが格納されているＲＯＭ（１１）、及び予約録画情報等の種々の情報を格納するためのＲＡＭ（１２）が接続されている。
【００２０】
また、本発明の装置では、チャンネル選択などの種々の操作をキー入力部（１３）で行い、その入力信号が制御部（３）で解釈される。そして制御部（３）は、上記の如く動作ができるように、本発明の機器の動作を制御する。ここで、キー入力部（１３）は、図６のような構造をしており、図６の構造については、既に説明したので、ここではその説明を割愛する。
【００２１】
ここで、本発明の機器の外観図を図２に示す。図２に示すように、キー入力部（１３）は、十字キー（２１）、決定キー（２２）、Ｆキー（２３）、通話キー（２４）などの携帯電話に関するキーの他に、テレビ視聴を可能にするためにテレビモードに切り替えるＴＶキー（２５）や録画を開始するための録画キー（２６）、電源キー（２６）、さらにテンキー（２７）を含んでおり、このテンキー（２７）を操作することにより、チャンネル選択を行う。このようにキー入力部（１３）のテンキー（２７）を押下することにより、チャンネルを選択することができる。チャンネル選択が完了すると、選択されたチャンネルを表わすように、図８の如くテンキーの下に配置されているＬＥＤなどの照明部（５）を発光させて選択中のチャンネルがわかるようにする。
【００２２】
さらに具体的には、図３にテンキーの発光方法の一例をしめす。同図に示しているように、選択されているチャンネルが１から９の一桁のチャンネルである場合は、そのチャンネル番号に相当する番号のキーを発光させる。図３では、照明部（５）として、３色発光のＬＥＤを使用した場合について記載しており、１桁のチャンネルの場合は、該当するチャンネル番号を緑色で発光させるようにしている。
【００２３】
さらに、図３の例では、１０より大きい数値にチャンネルが選択されている場合は、１０の位の数値を赤色で発光させ、１の位の数値を緑色で発光させることにより、２つのキーを発光させてチャンネル番号を表現している。この時、１０の位と１の位の数値が同じである場合、例えば１１チャンネルなどは、その数値１を赤色と緑色を交互に発光させることにより表現する。
【００２４】
さらに、それに加えて、３桁のチャンネルに対しては、１００の位を青色、１０の位を赤色、１の位を緑色とし、１０の位と１の位が同じ数値の時は、その数値を赤色と緑色を交互に発光させ、１０の位と１００の位が同じ数値の時は、その数値を青色と赤色を交互に発光させ、１の位と１００の位が同じ数値の場合は、その数値を青色と緑色を交互に発光させ、３桁とも同じ数値の場合は、その数値を青色とすることで表現している。
【００２５】
また、画像用メモリに記憶されている番組を再生する場合は、０を緑色で発光させることにより、ビデオであることを表現することができる。
【００２６】
上記の実施例では、各桁の発光色を異なる色にすることにより、選択されてるチャンネルを表現しているが、各桁毎に発光パターンを変えるという方法でも構わない。例えば、１０の位は点滅させ、１００の位は、点滅サイクルを１０の位よりも長くするなどの方法がある。
【００２７】
また、点滅方法と色を組み合わせて、チャンネルを表現するようにしても構わない。
【００２８】
上記のように、本発明は、キー入力部を何らかの形式で発光させて選択しているチャンネルを表現する技術であり、その発光方法は上記に限定されるものではなく、如何なる方法であっても構わない。
【００２９】
次に、図２の外観図に示されているような携帯電話機能を有する携帯テレビ受信機のシステム構成図を図４に示す。携帯電話機能を有する携帯テレビ受信機は、図２の形態に限定されるものでなく、本発明には種々の形状が含まれるが、図４に示す如くシステム構成はどのような形態であっても同じである。
【００３０】
図４に示すように、テレビ受信に関しては、アンテナ（１）によって受信されたテレビジョン放送波はチュ−ナ（２）によってチューニングされ、これによって得られた放送信号は制御部（３）に供給されて、映像データと音声データが分離される。制御部（３）には、音声デコーダ（４）、音声処理回路（５）、映像デコーダ（６）及び映像処理回路（７）が接続されており、制御部（３）にて分離された映像データは、映像デコーダ（６）に供給されてデコードされた後、映像処理回路（７）に供給されて所定の信号処理が施され、これによって得られた映像信号が表示部（８）に供給される。この結果、テレビ放送番組の映像が表示部（８）に映し出されることになる。これに対し、制御部（３）にて分離された音声データは、音声デコーダ（４）に供給されてデコードされた後、音声処理回路（５）に供給されて所定の信号処理が施され、これによって得られた音声信号がスピーカ（９）に供給される。この結果、テレビ放送番組の音声がスピーカ（９）から出力されることになる。この場合、スピーカの代わりにヘッドホンやイヤホンを使用しても構わない。
【００３１】
また、上述の如く制御部（３）から得られる映像データおよび音声データを格納するための録画用メモリ（１０）が接続されると共に、放送受信機としての動作を実行するプログラムが格納されているＲＯＭ（１１）、及び予約録画情報等の種々の情報を格納するためのＲＡＭ（１２）が接続されている。
【００３２】
また、本発明の装置では、チャンネル選択などの種々の操作をキー入力部（１３）で行い、その入力信号が制御部（３）で解釈される。そして制御部（３）は、上記の如く動作ができるように、本発明の機器の動作を制御する。ここで、キー入力部（１３）は、図６のような構造をしており、図６の構造については、既に説明したので、ここではその説明を割愛する。
【００３３】
一方、携帯電話機能としては、アンテナ（１８）により電話通信に関する
電波信号を受信し、ＲＦ部（１４）において、周波数ダウンコンバートし、その電波信号の変調方式に応じた復調を行う。一般に変調方式としてはＱＰＳＫ方式が用いられる。さらに復調された信号は、ＢＢ（ベースバンド）部（１５）において、ＰＨＳ、ＰＤＣ、ＧＳＭ、ＣＤＭＡなどに代表される、その通信形態に応じて復号処理が行われる。このように復調された電話信号は、制御部（３）にて、映像信号と音声信号に分離される。制御部（３）にて分離された映像データは、映像デコーダ（６）に供給されてデコードされた後、映像処理回路（７）に供給されて所定の信号処理が施され、これによって得られた映像信号が表示部（８）に供給される。この結果、テレビ電話等の電話通信における映像が表示部（８）に映し出されることになる。これに対し、制御部（３）にて分離された音声データは、音声デコーダ（４）に供給されてデコードされた後、音声処理回路（５）に供給されて所定の信号処理が施され、これによって得られた音声信号がスピーカ（９）に供給される。この結果、電話通信における音声がスピーカ（９）から出力されることになる。この場合、スピーカの代わりにヘッドホンやイヤホンを使用しても構わない。
【００３４】
また、使用者の音声は、マイク（１７）によって収音され、使用者が映像を送りたい場合は、その映像をカメラ（１６）によって撮像される。マイク（１７）にて入力された音声は、音声処理回路（５）で、送信に必要なＣＥＬＰなどの音声コーディングがなされ、送信に必要なデータ形態に変換される。カメラ部（１６）で撮像された画像は、映像処理回路（７）で、静止画であればＪＰＥＧ、動画であればＭＰＥＧなどの圧縮処理がなされ、送信に必要なデータ形態に変換される。このように処理された音声信号と画像信号は、制御部（３）において合成されて、ＢＢ部（１５）にて、ＰＨＳ、ＰＤＣ、ＧＳＭ、ＣＤＭＡなどの通信形態に応じた符号化処理が施され、ＲＦ部（１４）において、必要な変調処理が行われると同時に周波数アップコンバートされて、アンテナ（１８）より基地局（図示せず）に向けて送信される。
【００３５】
このように、表示部（８）やスピーカ（９）は、テレビ放送受信や電話通信において共有化できる。この時、例えば電話による通話中においても、上記の如く図３に示すようなテンキーの発光を行うことで、テレビチューナ部（２）がその時点でどのような選局状態にあるのかを確認することができる。
【００３６】
また、特願２００３−７２６４１に記載のように、テレビ視聴を行いながら電話通信も行う場合も、その時に視聴中にテレビチャンネルを上記の如くテンキーの発光によって容易に知ることができる。
【００３７】
【発明の効果】
本発明は、テレビ放送を受信するためのテレビ放送受信部と、受信するチャンネルを選択するための操作入力部を有し、該操作入力部は、テレビチャンネルを選択するための複数のチャンネルキーを含み、該チャンネルキーは各キーを発光させるための各照明部を有し、選択されているチャンネルに該当するチャンネルキーを発光させる携帯機器である。
【００３８】
従って、本発明の機器では、キー操作を必要とせず、さらに表示部上にチャンネル番号を表示せずに、現在選局されているチャンネルを一目で認識できる。
【００３９】
さらに、上記チャンネルキーはテンキーで構成され、上記照明部は、複数色の発光が可能である事ならば、上記効果はさらに顕著となる。
【００４０】
また、上記チャンネルキーが、各桁毎に異なる色で発光したり、上記チャンネルキーが、各桁毎にその発光形式が異なるように制御することで、さらにチャンネル認識が容易になる。
【００４１】
また、チャンネルの各桁の数値のいくつか或いは全てが同じである場合に、１つのキーで２つ以上の桁を表わしていることを表現するために、その最上位の桁の発光色もしくは発光形式で発光させる事で、少ないキーでも全てのチャンネル番号を認識可能にできる。
【図面の簡単な説明】
【図１】本発明のシステムブロック図
【図２】本発明の外観図
【図３】本発明の発光方法例
【図４】本発明の第二の実施例のブロック図
【図５】従来技術のシステムブロック図
【図６】キーパッドの構造図
【符号の説明】
１                    テレビアンテナ
２                    テレビチューナ
３                    制御部
４                    音声デコーダ
５                    音声処理部
６                    映像デコーダ
７                    映像処理部
８                    表示部
９                スピーカ
１０                録画用メモリ
１１                ＲＯＭ
１２                ＲＡＭ
１３                キー入力部
１４                ＲＦ部
１５                ＢＢ部
１６                カメラ
１７                マイク
１８                携帯電話アンテナ
２１                十字キー
２２                決定キー
２３                Ｆキー
２４                通話キー
２５                ＴＶキー
２６                電源キー
２７                テンキー
２８                録画キー
５１                受信部
５２                送信部
５３                デュプレクサ
５４                記憶部
６１                基板
６２                ボタンキー
６３                ボタンキーゴム
６３Ａ                        導電性突起
６３Ｂ                        拡散防止部材
６４                キー本体
６５                ＬＥＤ
【図１】
2004312475.tif 000003
【図２】
2004312475.tif 000004
【図３】
2004312475.tif 000005
【図４】
2004312475.tif 000006
【図５】
2004312475.tif 000007
【図６】
2004312475.tif 000008